(57)【要約】【課題】従来のセパレータは、両端部におねじを形成したロッドと、コンクリート硬化後に取り外すコーンよりなるもので、コーンにはコンクリート型枠より外側に突出するおねじを設けるようにしてなり、コンクリート型枠の外側からフォームタイをねじ込み固定していた。そこで、コンクリート型枠を対峙するように施工すると、作業性が悪く、予め双方の外枠を組み立ててから立設することができなかった。【解決手段】一方のコーン４１１をコンクリート型枠１側に擂鉢状の案内孔４１２と逆向きの一対のめねじ４１３、４１４を形成したものとし、一方のフォームタイ５のタイロッド５３の先端にねじ棒を設け、このねじ棒がコンクリート型枠１を通ってコーン４１１の案内孔４１２を通ってめねじ４１３にねじ込むようにした施工方法。【選択図】　　　　図１
2004027592.tif 000002
【特許請求の範囲】
【請求項１】
複数のコンクリート型枠の内側に、めねじを設けると共に突出するねじ棒を備えたセパレータのコーンを嵌め込み、外側には縦バタ材及び横バタ材を縦横に添わせ、コンクリート型枠から突出するコーンのねじ棒にフォームタイのタイロッドのめねじをねじ込み、フォームタイのナット及び座金で縦横のバタ材を止めて一方の外枠を形成し、レッカー作業にて基盤に建て込み、
両端におねじを設けたセパレータのロッドの一端に、コンクリート型枠側に擂鉢状に拡開させた案内孔と逆向きの一対のめねじを形成したコーンをねじ込んでから、セパレータのロッドの他端を外枠のコーンのめねじにねじ込み、
複数のコンクリート型枠を並列させ、縦バタ材及び横バタ材を添わせて他方の外枠としレッカー作業にてコーンに添うように建て込み、先端にねじ棒を備えたフォームタイのタイロッドのねじ棒を案内孔を通ってコーンのめねじにねじ込み、フォームタイのナット及び座金で縦横のバタ材を止めるようにしたことを特徴とするコンクリート型枠へのセパレータの施工方法。
【請求項２】
双方のフォームタイのタイロッドの先端はめねじとなるように構成し、一方のフォームタイには、両端におねじを設けた軸足をねじ込んでねじ棒とし、このフォームタイを、セパレータの案内孔を備えたコーンに向けてねじ込み締めつけるようにしたことを特徴とする請求項１記載のコンクリート型枠の施工方法。
【請求項３】
裁頭円錐形をなし、コンクリート型枠側に擂鉢状に拡開させた案内孔と逆向きの一対のめねじを連続して形成し、フォームタイのタイロッドおねじを案内孔を通してねじ込めるようにしたことを特徴とするセパレータのコーン。
【発明の詳細な説明】
【０００１】
【発明の属する技術分野】
この発明は、コンクリートにより建築用又は土木用の壁、柱、土台などを形成する場合に用いるコンクリート型枠を所定の間隔に保って配置するセパレータの施工方法及び、これに用いるコーンに関するものである。
従来、複数のコンクリート型枠を対峙させて立設固定するには、コンクリート型枠同士を繋ぐ金具、コンクリート型枠の外側に配する横バタ材、縦バタ材、コンクリート型枠を垂直に支えるための支柱、筋交い、これらを繋ぐ金具などというように極めて多くの構成部品からなるものである。
しかし、本発明は、コンクリート型枠を複数並列、或いは縦横に並べて、一対の外枠を構成しこれらを一定の間隔に保つために内部に配置するセパレータの施工方法及びこれに用いるセパレータのコーンに関するものである。
【０００２】
【従来の技術】
従来複数のコンクリート型枠１を基盤に並列されて得る外枠８０、８０を所定の間隔、すなわちコンクリート構造物の壁厚に合致させるように配置するためにセパレータ２を介して対峙させるようにしている。
【０００３】
一般的に提供されている外枠８０、８０の内部に配置されるセパレータ２は、図５乃至図６に示すように、両端部におねじ３１を形成したロッド３と、コンクリート硬化後に取り外すコーン４よりなるものである。コーン４は裁頭円錐形をなすプラスチック成形品或いは木製のもので、軸心にはロッド３のおねじ３１をねじ込むめねじ４１とコンクリート型枠１に穿った挿通孔１１より外側に突出するおねじ４２を設けるようにしてある。
このセパレータ２を固定するには、コンクリート型枠１の外側からフォームタイ５で固定することになる。
【０００４】
フォームタイ５は、一端にコーン４のおねじ３１にねじ込むめねじ５１を備え、後端側にはおねじ５２を設けたタイロッド５３と、おねじ５２にねじ込むナット５４及び、外枠８０、８０に縦横に配置する丸パイプなどからなる縦バタ材６及び横バタ材７、７の外側となる横バタ材７、７を掴持する座金５５をタイロッド５３に遊嵌させるようにしたものである。
このフォームタイ５のタイロッド５３のめねじ５１をコーン４のおねじ３１にねじ込みセパレータ２に繋げ、座金５５にて横バタ材７、７としての二つのパイプにつかむようにしてからナット５４を締めつけることで止める。
【０００５】
外枠８０の一方は、図５に示すように予めコーン４をコンクリート型枠１の挿通孔１１を通し、フォームタイ５のめねじ５１をコーンのおねじ３１にねじこみ、縦バタ材６及び横バタ材７、７を介し、横バタ材７、７に座金５５をあてがいナット５４をねじ込むことで一体として基盤上に立設することができる。
次いで、セパレータ２のロッド３の一端に他方のコーン４にねじ込んでから、前記予め外枠８０に固定したコーン４にねじ込むようにしてロッド３を片持ちにする。（図５）
その後、他方の外枠８０を構成するコンクリート型枠１を基盤上に立設させつつ、コーン４の突出するおねじ４２をコンクリート型枠１の挿通孔１１に合わせて挿入するようにし、フォームタイ５のタイロッド５３のめねじ５１をねじ込み、縦バタ材６及び横バタ材７、７を掴持する座金５５をタイロッド５３に通し、ナット５４を締め付けることでセパレータ２を固定していた。（図６）
【０００６】
【発明が解決しようとする課題】
外枠８０、８０の間には、図示しないが鉄筋が配設されるので作業の為に入り込むことができず、一方の外枠８０を立設するためには、視認できないコーン４のおねじ４２に、コンクリート型枠１の挿通孔１１に合致させ対峙するように立設しなければならないことになる。しかも、実際には一のコンクリート型枠１の複数箇所にセパレータ２を配置することになり、一時的にセパレータ２は片持ちとなるので開放端が下降しがちとなりコーン４の突出するおねじ４２とコンクリート型枠１の挿通孔１１を合わせるのに手間の掛かることが多かった。
このように、従来のセパレータ２及びフォームタイ５を用いて外枠８０、８０を対峙するように施工すると、作業性が悪く、予め双方の外枠８０、８０を組み立ててから立設することができなかった。
【０００７】
【課題を解決するための手段】
本発明は、従来のこのような手間の掛かる作業に鑑みて開発した、コンクリート型枠のセパレータの施工方法とそれに用いるコーンに関するものである。
従来例と対比してその要旨とするのは、セパレータの一方のコーンを、外枠すなわちコンクリート型枠に内接するのみとし、加えて、コーンの軸心の貫通穴には、コンクリート型枠側に擂鉢状に拡開させた案内孔と逆向きの一対のめねじを形成するようにし、また、一方のフォームタイに、コンクリート型枠に内接するのみのコーンのめねじにねじ込むおねじを設けるようにしたのである。
このような構成を採用したことにより、セパレータの施工に際して、外枠双方を予め組み付けておくことができ、フォームタイのおねじをねじ込む際に、コーンの擂鉢状の拡開させた案内孔によりセパレータに若干の位置ずれがあっても支障が生じないのである。
【０００８】
【発明の実施の形態】
以下、図面に示す本発明の実施の形態に即して説明する。
本発明の施工方法は、図５の途中までは従来と同様の構成からなるセパレータ２、フォームタイ５を用いて外枠８０を形成することになるので構成の説明を省略する。
施工能率を上げるために採用したコーン４１１は、従来と同様に外形は裁頭円錐形をなし、軸心の貫通穴は、外枠８０側に擂鉢状に拡開させた案内孔４１２と逆向きの一対のめねじ４１３、４１４を連続して形成してなるものである。４１５はスリットで、コンクリート硬化後に外枠８０を外した後に残るコーン４１１をドライバーを差し込んで回し外すために設けている。（図４）
このコーン４１１は、めねじ４１３、４１４をセパレータ２のロッド３側への鍔を備えた金属製パイプにめねじを形成し、これを囲繞するようにプラスチックの被覆した成形品としてなるものである。
【０００９】
フォームタイ５は、基本的には従来と同様な構成のものを採用する。
フォームタイ５のタイロッド５３は、一端にコーン４のおねじ３１にねじ込むめねじ５１を備えるが、コーン４１１にはコンクリート型枠１を貫通するおねじを備えないので、それに代えて、タイロッド５３のめねじ５１に、別途軸足５６（図３）をねじ込むようにする。
この軸足５６は、両端部におねじ５６ａ、５６ａを設けた丸棒杆で、中央箇所には、レンチにて挟んで回わしフォームタイ５のタイロッド５３のめねじ５１にねじ込めるように反対箇所を削設してなる平坦面５６ｂ、５６ｂを設けるようにしてある。
【００１０】
ここで、実際の施工方法について述べると次の通りである。
複数のコンクリート型枠１を並列させ、その内側に、めねじ４１を設けると共に突出するねじ棒４２を備えたコーン４を複数嵌め込み、外側には縦バタ材６及び横バタ材７、７を縦横に添わせ、コンクリート型枠１から突出するコーン４のねじ棒４２にフォームタイ５のめねじ５１をねじ込み、フォームタイ５の座金５５及びナット５４で縦バタ材６及び横バタ材７、７を止めて外枠８０を形成し、レッカー作業にて予め地面に設けた図示しない基盤に建て込む。
【００１１】
両端におねじ３１を設けたセパレータ２のロッド３の一端に、コンクリート型枠１側に擂鉢状に拡開させた案内孔４１２と逆向きの一対のめねじ４１３、４１４を形成したコーン４１１をねじ込んでから、セパレータ２のロッド３の他端を前記外枠８０を構成するコンクリート型枠１のコーン４のめねじ４２にねじ込む。このセパレータ２のロッド３は一のコンクリート型枠１に複数設けるようにする。
【００１２】
フォームタイ５先端のめねじ５１に、両端におねじ５６ａ、５６ａを設けた軸足５６をレンチにてねじ込み、先端にねじ棒を備えるようにする。
次いで他方の外枠８０を構成するのであるが、複数のコンクリート型枠１を並列させ繋げ、縦バタ材６及び横バタ材７、７を添わせてレッカー作業にて、先の外枠８０と対峙し、セパレータ２のコーン４１１に添うように建て込む。
そしてフォームタイ５の軸足５６の他端のおねじ５６ａを、コンクリート型枠１の挿通孔１１を通してコーン４１１にねじ込み、フォームタイ５のナット５４及び座金５５で縦バタ材６及び横バタ材７、７を止めるのである。
【００１３】
これまでの説明では、フォームタイ５を同一の構造のものを採用したものとした。そこで、一方のコーン４１１がコンクリート型枠１の挿通孔１１から外におねじ４２が突き出ることがなく、めねじ４１３を備えたものであるので、締結のために軸足５６で補うようにしたのである。
しかし、フォームタイ５の一方を、先端にコーン４１１のめねじ４１３にねじ込むことができるねじ棒を一体に備える構成とすれば軸足５６は不要となる。
【００１４】
【発明の効果】
本発明は以上のような構成からなるもので、請求項１の施工方法としては、一方のコーンをコンクリート型枠側に擂鉢状に拡開させた案内孔と逆向きの一対のめねじを形成したものとし、このコーンにはコンクリート型枠の挿通孔を貫通するおねじを備えず、そのため、一方のフォームタイのタイロッドの先端にねじ棒を設け、このねじ棒がコンクリート型枠を通ってコーンの案内孔を通ってコーンのめねじにねじ込むようにしたので、コーンをねじ込んだセパレータの取り付けに際して作業効率が良くなるのである。
すなわち、一方の外枠を立設してから他方の外枠を対峙させて建て込むときにコンクリート型枠の挿通孔にセパレータのコーンのおねじを合致させる必要がなくなるのである
請求項２の発明に係る施工方法では、二つ用いるフォームタイを従来と同様な構成とし、ねじ棒を備えたフォームタイを、両端におねじを設けた軸足をねじ込むことで形成し、従来のフォームタイを極力用いることができるようにしたのである。
請求項３の発明は、上記発明の施工に用いるコーンで、コンクリート型枠側に擂鉢状に拡開させた案内孔と逆向きの一対のめねじを連続して形成し、フォームタイのタイロッドのおねじを案内孔を通してねじ込めるようにしたので、先にセパレータを取り付けた外枠の微細な傾きやセパレータの自重による開放端のささいな下降があっても、フォームタイのねじ棒を備えたタイロッドをねじ込むに際して擂鉢状の案内孔によって補正され、確実に締め付けることができることになる。
【図面の簡単な説明】
【図１】この発明に係るフォームタイとコーンの取り付け状態の要部断面図である。
【図２】この発明に係るコンクリート型枠へのセパレータとフォームタイの組付状態の要部断面図である。
【図３】フォームタイに取り付ける軸足の正面図である。
【図４】この発明に係るコーンの斜視図である。
【図５】従来のコンクリート型枠へのセパレータの施工方法を示す断面図である。
【図６】従来の外枠へのセパレータ及びフォームタイの組付状態を示す断面図である。
【符号の説明】
１　コンクリート型枠
２　セパレータ
３　ロッド
４　コーン
５　フォームタイ
５３　タイロッド
５４　ナット
５５　座金
５６　軸足
６　縦バタ材
７　横バタ材
８０　外枠
【図１】
2004027592.tif 000003
【図２】
2004027592.tif 000004
【図３】
2004027592.tif 000005
【図４】
2004027592.tif 000006
【図５】
2004027592.tif 000007
【図６】
2004027592.tif 000008